(57)【特許請求の範囲】
【請求項１】
支柱に設けた腕金に着脱自在に取り付ける基枠を、中央部片と該中央部片の両側に相対設した側部片で構成し、該基枠の前記側部片にそれぞれ相対称させて一対の円弧状の長孔を設け、各長孔は当該長孔に対する他の長孔に挿通させた第一接続ピンを中心とする円周に沿う円弧状を成し、該長孔と、前記側部片間に係合した方形枠状の仲介枠の相対する一対の側部片に横に並べて設けた一対の透孔に、前記第一接続ピンを挿通させて基枠に仲介枠を組付けると共に、受圧片と該受圧片の両側に相対して立設した側片を備えた接続枠の側片にそれぞれ相対称させて一対の円弧状の第二長孔を設け、各第二長孔は当該第二長孔に対応する他の第二長孔に挿通させた第二接続ピンを中心とする円周に沿う円弧状を成し、該第二長孔と、前記仲介枠の他の相対する一対の側部片に横に並べて設けた一対の透孔に、前記第二接続ピンを挿通させて仲介枠に接続枠を組付け、さらに、信号灯器との止着手段を備えた接続枠の前記受圧片と基枠の前記中央部片には、これらの間に縮設したコイルばねを圧接させた歩行者用信号灯器の腕金用取付け金具。.
【発明の詳細な説明】
【技術分野】
【０００１】
本発明は、歩行者信号灯器を支柱に設けた腕金に取り付けるために用いる取付け金具に関するものである。
【背景技術】
【０００２】
支柱に設けた腕金に基板において着脱自在に取り付ける基枠を、前記基板と該基板の両側に相対設した側板で構成し、該基枠の前記側板には該側板間に係合した方形筒状の仲介枠を、その相対する一対の側部片において接続ピンで枢着して揺動自在に組付けると共に、受圧片と該受圧片の両側に相対して立設した側片を備えた接続枠を、前記仲介枠の相対する他の一対の側部片に前記側片において他の接続ピンで枢着して揺動自在に組付け、さらに、信号灯器との止着手段を備えた前記接続枠の受圧板と前記基枠の基板には、これらの間に縮設したコイルばねを圧接した構造のものがある。（例えば、特許文献１）。
【先行技術文献】
【特許文献】
【０００３】
【特許文献１】特開２００３−３３１３９２号公報
【発明の概要】
【発明が解決しようとする課題】
【０００４】
前記構造のものは、トラック等が接触したとき、コイルばねの押圧付勢に抗して仲介枠乃至接続枠が揺動して信号灯器に付加される衝撃を緩和し、前記接触すなわち外力の負荷が中断すると、コイルばねの付勢により原状態に復帰して信号灯器を正位置に戻すようにしたものであるが、基枠と仲介枠を単一な接続ピンで、また、仲介枠と接続枠を単一な他の接続ピンでそれぞれ接続（枢着）した構成を採るので、常態時に、前記接続枠を止着した信号灯器に風圧などの外力が負荷すると、接続ピンを軸にして仲介枠と接続枠の一方又は双方が容易に揺動し、信号灯器の設置状態の安定性に欠ける場合がある。
【０００５】
本発明は、斯様な従来例の欠点を除去し、しかも、耐衝撃性の有る、歩行者用信号灯器の設置状態を得られる取付け金具を提供することを目的とする。
【課題を解決するための手段】
【０００６】
支柱に設けた腕金に着脱自在に取り付ける基枠を、中央部片と該中央部片の両側に相対設した側部片で構成し、該基枠の前記側部片にそれぞれ相対称させて一対の円弧状の長孔を設け、各長孔は当該長孔に対する他の長孔に挿通させた第一接続ピンを中心とする円周に沿う円弧状を成し、該長孔と、前記側部片間に係合した方形枠状の仲介枠の相対する一対の側部片に横に並べて設けた一対の透孔に、前記第一接続ピンを挿通させて基枠に仲介枠を組付けると共に、受圧片と該受圧片の両側に相対して立設した側片を備えた接続枠の側片にそれぞれ相対称させて一対の円弧状の第二長孔を設け、各第二長孔は当該第二長孔に対応する他の第二長孔に挿通させた第二接続ピンを中心とする円周に沿う円弧状を成し、該第二長孔と、前記仲介枠の他の相対する一対の側部片に横に並べて設けた一対の透孔に、前記第二接続ピンを挿通させて仲介枠に接続枠を組付け、さらに、信号灯器との止着手段を備えた接続枠の前記受圧片と基枠の前記中央部片には、これらの間に縮設したコイルばねを圧接させた構成とする。
【発明の効果】
【０００７】
本発明によれば、基枠と仲介枠を一対の接続ピンで、また、仲介枠と接続枠を他の一対の接続ピンでそれぞれ接続した構成を採るので、信号灯器に風圧など外力が作用しても容易に揺れにくい、従って、安定した信号灯器の設置状態を得られる。また、信号灯器にトラックが衝接してもその衝撃力を吸収して腕金（支柱）側に伝わりにくい、従って、耐久的な歩行者用信号灯器の設置状態を得ることができる。
【図面の簡単な説明】
【０００８】
【図１】使用状態を示す正面図。
【図２】図１の拡大図。
【図３】信号灯器を省略して示した図２の底面図。
【図４】図２の断面図。
【図５】信号灯器に外力が負荷した状態を示す正面図。
【図６】信号灯器に外力が負荷した他の状態を示す正面図。
【図７】挟持枠と補助枠の斜視図。
【図８】基枠の斜視図。
【図９】仲介枠の斜視図。
【図１０】接続枠の斜視図。
【発明を実施するための形態】
【０００９】
図面は本発明に係る歩行者用信号灯器の腕金用取付け金具の一実施形態を示し、図中、１は挟持枠で、挟持枠１は中央に窓孔２を設けた中央部片１ａの、長手方向に沿って相対する立面部片１ｂ，１ｂの中央部に切欠３を設けた溝形枠体で構成する。
【００１０】
挟持枠１は、該挟持枠１と同形にして基枠４に締付けボルト５と組付けナット６とで組付けた補助枠７とで支柱に設けた腕金ａをその上下から挟持し、前記締付けボルト５と該ボルト５に螺合した締付けナット８とで前記基枠４を腕金ａに取り付けるものである。すなわち、補助枠７は、挟持枠１と同様に中央に窓口９を設けた中央部片７ａの、長手方向に沿って相対する立面部片７ｂ，７ｂの中央部に切欠１０を設けた溝形枠体で成り、中央部片７ａを前記基枠４の中央部片４ａの上に重ね合わせ、中央部片４ａの下側から前記締付けボルト５を貫通させて、中央部片７ａ（補助枠７）より突出する該ボルト５の先端に組付けナット６を螺合して組付けて基枠４と補助枠７を一体的にし、この一体的にした組合わせ体の補助枠７の切欠１０と前記挟持枠１の切欠３に腕金ａを係合させ、前記ボルト５の挟持枠１を通じて突出する先端に前記締付けナット８を螺合、締付けて腕金ａに取り付けるものである。
【００１１】
前記基枠４は、中央に窓口１２を設けた前記中央部片４ａの長手方向に沿う両側に側部片４ｂ，４ｂを相対設して構成し、中央部片４ａにおいて締付けボルト５と組付けナット６を用いて補助枠７と一体的にしたもので、側部片４ｂ，４ｂには、該側部片４ｂの幅方向の中央を通る直線を対称軸とする、一対の、縦長な円弧状の長孔１３，１３を対称的に設け、この長孔１３を通じた第一接続ピン１４の先端を、前記側部片４ｂ，４ｂ間に介装した仲介枠１５の相対する一対の側部片１５ａ，１５ａに横に並べて設けた透孔１６に貫通させ、側部片１５ａより突出する該先端に抜け止め手段１７を施してある。
なお、前記長孔１３は、当該長孔に対する他の長孔（例えば、図２の左側の長孔１３に対する右側の長孔１３）に挿通させた第一接続ピン１４を中心とする円周に沿う円弧状を形成する。
仲介枠１５は、前記の通り、相対する一対の側部片１５ａ，１５ａにおいて前記基枠４に接続されており、他の一対の側部片１５ｂ，１５ｂにおいては、歩行者用灯器Ｂに接続して立設した接続枠１８に第二接続ピン１９によって接続するようにしてある。
【００１２】
そして、仲介枠１５は、相対する一対二組の側部片１５ａ，１５ａ．１５ｂ，１５ｂとで成る方形枠体で成り、一対の側部片１５ａ，１５ａの上方側の、基枠４に設けた前記長孔１３位置に対応させて前記透孔１６を設け、他の一対の側部片１５ｂ，１５ｂの下方側の、接続枠１８に設けた一対の長孔２０と対応する位置には透孔２１を横に並べて設けたものである。
【００１３】
接続枠１８は、水平方向に配した受圧片１８ａの両側に側片１８ｂ，１８ｂを相対して立設する一方、中央に円筒状の組付け筒１８ｃを下設し、該組付け筒１８ｃに止着リング１８ｄを組付けて構成したもので、前記各側片１８ｂには、前記長孔２０を設け、該長孔２０と仲介枠１５側の前記透孔２１に第二接続ピン１９を貫通させ、接続枠１８側の長孔２０より突出する、該第二接続ピン１９の先端に抜け止め手段２２を装置して仲介枠１５と一体的に揺動するようにしてある。その揺動は、外力の負荷により、前記第一、第二の接続ピン１４，１４．１９，１９のいずれかを軸として行われ、また、コイルばね２３によって規制される。すなわち、コイルばね２３は、基枠４と一体的にした前記補助枠７の中央部片７ａと、接続枠１８の受圧片１８ａとの間に縮小状態で介装され中央部片７ａと受圧片１８ａをすなわち、補助枠７（基枠４）と接続枠１８を互いに離開する方向に押圧し、このため、第一接続ピン１４の長孔１３と透孔１６の挿通関係および第二接続ピン１９の長孔２０と透孔２１の挿通関係による基枠４に対する仲介枠１５と接続枠１８の揺動は規制され、このコイルばね２３の押圧付勢つまり伸展する力より大きな縮小させる力が働いたとき、仲介枠１５と接続枠１８は揺動する。
前記長孔２０は当該長孔に対する他の長孔（例えば、図１の左側の長孔２０に対する右側の長孔２０）に挿通させた第二接続ピン１９を中心とする円周に沿う円弧状を形成することは、図４や図６で示す通りである。
【００１４】
接続枠１８の組付け筒１８ｃに係合した止着リング１８ｄは、信号灯器Ｂに対する止着手段を構成するもので、信号灯器Ｂ側に突設したボルト杆３０を、該止着リング１８ｄに設けた止着孔３１に貫通させ、止着孔３１より突出するボルト杆３０先端に止着ナット３２を螺合締め付けることにより、前記組付け筒１８ｃの下縁に設けた鍔部片を止着リング１８ｄで信号灯器Ｂと押え付けるようにして信号灯器に止着するのである。
【００１５】
そして、挟持枠１の切欠３と補助枠７の切欠１０に腕金ａを係合させるようにして、補助枠７と基枠４を互いに組付けた締付けボルト５の先端を挟持枠１の中央部片１ａを貫通させて該中央部片１ａより突出させて締付けナット８を螺合し、締め付けると本取付金具は腕金ａに組付けられる。次いで、信号灯器Ｂ側のボルト杆３０を止着リング１８ｄに通し、リング１８ｄより突出するボルト杆３０の先端に止着ナット３２を螺合し、締め付けることにより信号灯器Ｂは、腕金ａに取り付けられ、使用状態を得られる。この使用状態時にあって、信号灯器Ｂにトラック等に接触したとき、コイルばねの押圧付勢に抗して仲介枠１５乃至接続枠１８は揺動して信号灯器Ｂの受けた衝撃を緩和させ、接触（外力の負荷）が中断すると、コイルばねの付勢により原状態に復帰して信号灯器Ｂを正位置に戻すのである。
【符号の説明】
【００１６】
４      基枠
４ａ    中央部片
４ｂ    側部片
１３    長孔
１４    第一接続ピン
１５    仲介枠
１５ａ  側部片
１５ｂ  側部片
１６    透孔
１８    接続枠
１８ａ  受圧片
１８ｂ  側片
１９    第二接続ピン
２０    第二長孔
２１    透孔
２３    コイルばね
【図１】
0005600635.tif 000002
【図２】
0005600635.tif 000003
【図３】
0005600635.tif 000004
【図４】
0005600635.tif 000005
【図５】
0005600635.tif 000006
【図６】
0005600635.tif 000007
【図７】
0005600635.tif 000008
【図８】
0005600635.tif 000009
【図９】
0005600635.tif 000010
【図１０】
0005600635.tif 000011